(57)【要約】      （修正有）【課題】被洗浄車両の洗車開始までの待ち時間を短縮できる洗車機。【解決手段】搬送装置４０により被洗浄車両ＣＡを洗車機本体１の入口１５から出口１６に向かって前方に搬送して被洗浄車両ＣＡを洗浄する洗車機ＷＡにおいて、洗車機本体１が前後方向及び左右方向に移動する一対のサイドブラシ５を備え、サイドブラシ５による被洗浄車両ＣＡの洗浄開始時にサイドブラシ５が前後方向の所定の洗浄開始位置に配置され、被洗浄車両ＣＡの洗浄開始とともにサイドブラシ５が左右方向に移動しながら被洗浄車両ＣＡの前面を洗浄し、続いてサイドブラシ５が被洗浄車両ＣＡの側面を洗浄しながら、洗浄開始位置よりも入口１５側に位置するまで移動し、続いて被洗浄車両ＣＡを前方に搬送するとともに、サイドブラシ５が出口１６に向かって移動しながら被洗浄車両ＣＡの後面を洗浄し、被洗浄車両ＣＡの後面の洗浄が終了した時にサイドブラシ５が洗浄開始位置に配置される。【選択図】図１
2014237336.tif 000002
【特許請求の範囲】
【請求項１】
搬送装置により被洗浄車両を洗車機本体の入口から出口に向かって前方に搬送して被洗浄車両を洗浄する洗車機において、
前記洗車機本体が前後方向及び左右方向に移動する一対のサイドブラシを備え、
前記サイドブラシによる被洗浄車両の洗浄開始時に前記サイドブラシが前後方向の所定の洗浄開始位置に配置され、被洗浄車両の洗浄開始とともに前記サイドブラシが左右方向に移動しながら被洗浄車両の前面を洗浄し、
続いて前記サイドブラシが被洗浄車両の側面を洗浄しながら、前記洗浄開始位置よりも前記入口側に位置するまで移動し、
続いて被洗浄車両を前方に搬送するとともに、前記サイドブラシが前記出口に向かって移動しながら被洗浄車両の後面を洗浄し、
被洗浄車両の後面の洗浄が終了した時に前記サイドブラシが前記洗浄開始位置に配置されることを特徴とする洗車機。
【請求項２】
被洗浄車両の前面を洗浄する際に、被洗浄車両を前方に搬送しながら前記サイドブラシを前記出口に向って移動させることを特徴とする請求項１に記載の洗車機。
【請求項３】
被洗浄車両の側面を洗浄する際に、被洗浄車両を前方に搬送させることを特徴とする請求項１又は２に記載の洗車機。
【発明の詳細な説明】
【技術分野】
【０００１】
本発明は、被洗浄車両の側面を洗浄するサイドブラシを備えた洗車機に関する。
【背景技術】
【０００２】
給油所等に設置される従来の洗車機は特許文献１に開示される。洗車機は搬送装置及び洗車機本体を備えている。搬送装置はプッシュローラ式のコンベアにより形成され、被洗浄車両を搬送する。洗車機本体はスタンド部、天井部、移動体及びサイドブラシを有している。
【０００３】
スタンド部は左右に対向して設けられ、天井部はスタンド部の上端を連結する。これにより、洗車機本体は門型に形成され、被洗浄車両を跨いで地面に固定されている。
【０００４】
移動体は洗車機本体の上部に設けられ、洗車機本体の入口近傍から出口近傍まで前後方向に移動する。サイドブラシは移動体の下部に左右一対で設けられ、移動体に対して左右方向に移動可能に取り付けられる。これにより、サイドブラシは左右方向及び前後方向に移動することができる。
【０００５】
被洗浄車両の洗車が開始されると、搬送装置は洗車機本体内へ被洗浄車両を搬送して停止する。この時、移動体は洗車機本体の入口近傍に停止し、サイドブラシが接近した状態から左右方向に離れる方向に移動しながら被洗浄車両の前面を洗浄する。
【０００６】
各サイドブラシが被洗浄車両の略車幅まで離れると、サイドブラシの左右方向の移動は停止して被洗浄車両の側面の洗浄が開始される。この時、搬送装置が被洗浄車両の搬送を再開するので、被洗浄車両の側面全体が洗浄される。
【０００７】
搬送装置が被洗浄車両を搬送してサイドブラシが被洗浄車両の後面の位置に配されると、移動体が洗車機本体の入口から出口に向って移動を開始する。この時、サイドブラシが互いに離れた状態から接近する状態に移動することにより、被洗浄車両の後面が洗浄される。
【０００８】
被洗浄車両の後面の洗浄が終了すると、移動体は洗車機本体の入口近傍に再び移動する。そして、洗車機本体は次の被洗浄車両の洗浄を開始する。
【先行技術文献】
【特許文献】
【０００９】
【特許文献１】特開２００３−１０４１７６号公報
【発明の概要】
【発明が解決しようとする課題】
【００１０】
しかしながら、上記従来の洗車機によると、被洗浄車両の後面の洗浄が終了した際に、移動体は洗車機本体の出口近傍に配されている。このため、次の被洗浄車両を洗浄するためには、移動体を洗車機本体の入口近傍に再び移動させる必要があり、これにより次の被洗浄車両の洗車までに時間がかかるという問題があった。
【００１１】
本発明は、被洗浄車両の洗車開始までの待ち時間を短縮できる洗車機を提供することを目的とする。
【課題を解決するための手段】
【００１２】
上記目的を達成するために本発明は、搬送装置により被洗浄車両を洗車機本体の入口から出口に向かって前方に搬送して被洗浄車両を洗浄する洗車機において、前記洗車機本体が前後方向及び左右方向に移動する一対のサイドブラシを備え、前記サイドブラシによる被洗浄車両の洗浄開始時に前記サイドブラシが前後方向の所定の洗浄開始位置に配置され、被洗浄車両の洗浄開始とともに前記サイドブラシが左右方向に移動しながら被洗浄車両の前面を洗浄し、続いて前記サイドブラシが被洗浄車両の側面を洗浄しながら、前記洗浄開始位置よりも前記入口側に位置するまで移動し、続いて被洗浄車両を前方に搬送するとともに、前記サイドブラシが前記出口に向かって移動しながら被洗浄車両の後面を洗浄し、被洗浄車両の後面の洗浄が終了した時に前記サイドブラシが前記洗浄開始位置に配置されることを特徴とする。
【００１３】
また、本発明は上記構成の洗車機において、被洗浄車両の前面を洗浄する際に、被洗浄車両を前方に搬送しながら前記サイドブラシを出口に向って移動させることを特徴とする。
【００１４】
また、本発明は上記構成の洗車機において、被洗浄車両の側面を洗浄する際に、被洗浄車両を前方に搬送させることを特徴とする。
【発明の効果】
【００１５】
本発明によると、サイドブラシによる被洗浄車両の洗浄開始時にサイドブラシが前後方向の所定の洗浄開始位置に配置され、被洗浄車両の洗浄開始とともに前記サイドブラシが左右方向に移動しながら被洗浄車両の前面を洗浄し、続いて前記サイドブラシが被洗浄車両の側面を洗浄しながら、洗浄開始位置よりも入口側に位置するまで移動し、続いて被洗浄車両を前方に搬送するとともにサイドブラシが出口に向かって移動しながら被洗浄車両の後面を洗浄し、被洗浄車両の後面の洗浄が終了した時にサイドブラシが洗浄開始位置に配置されるため、連続して被洗浄車両を洗車する際、洗車の待ち時間を短縮することができる。
【図面の簡単な説明】
【００１６】
【図１】本発明の第１実施形態の洗車機の構成を示す側面図
【図２】本発明の第１実施形態の洗車機の構成を示す正面図
【図３】本発明の第１実施形態の洗車機の主要な構成を示す上面図
【図４】本発明の第１実施形態の洗車機のサイドブラシの洗車の状態を示す上面図
【図５】本発明の第１実施形態の洗車機のサイドブラシの洗車の状態を示す上面図
【図６】本発明の第１実施形態の洗車機のサイドブラシの洗車の状態を示す上面図
【図７】本発明の第１実施形態の洗車機のサイドブラシの洗車の状態を示す上面図
【図８】本発明の第１実施形態の洗車機のサイドブラシの洗車の状態を示す上面図
【図９】本発明の第２実施形態の洗車機の構成を示す側面図
【発明を実施するための形態】
【００１７】
以下に本発明の実施形態を図面を参照して説明する。図１は本発明の第１実施形態の洗車機ＷＡを示す側面図である。洗車機ＷＡは地面Ｇに敷設して被洗浄車両ＣＡ（図４参照）を前方の搬送方向Ｄに搬送する搬送装置４０を備えている。また、洗車機ＷＡは搬送方向Ｄに向かって順に配置されるリモートパネル１７０、浄水装置１５０、上面洗浄装置１６０、側面洗浄装置１（洗車機本体）、乾燥装置１００を備えている。
【００１８】
リモートパネル１７０は被洗浄車両ＣＡ（図４参照）の搬送前の進入経路上に配され、洗車条件の設定を行う。リモートパネル１７０には複数のボタンが設けられており、シャンプー、ワックス掛け、撥水コート等の液剤を用いた洗車条件を設定することができる。また、フロントガード有り、フェンダーポール有り、サイドミラー有り、リヤワイパー有り、ルーフキャリア有り等の装備品の設定も行うことができる。
【００１９】
浄水装置１５０は被洗浄車両ＣＡを跨ぐように門型に形成され、検知センサ１５５、１５６、タンク収納部１５７、分配配管部１５１を有している。検知センサ１５５は浄水装置１５０の上部に配され、検知センサ１５６は浄水装置１５０の両側部に配される。これらは光電センサや超音波センサ等から成り、浄水装置１５０に進入する被洗浄車両ＣＡの外面形状を検知する。
【００２０】
タンク収納部１５７は洗剤やワックス等の各種液剤を貯液した複数の貯液タンク（不図示）を収納する。分配配管部１５１はタンク収納部１５７の上方に設けられ、市水及び各貯液タンクからの液剤を分配する。分配配管部１５１には浄水ノズル１５２、洗剤ノズル１５３、ワックスノズル１５４がそれぞれ電磁弁（不図示）を介して接続される。
【００２１】
浄水ノズル１５２は被洗浄車両ＣＡに対して市水を噴射し、洗剤ノズル１５３はシャンプーなどの洗浄液を噴射し、ワックスノズル１５４は被洗浄車両ＣＡに対してワックスを噴射する。
【００２２】
上面洗浄装置１６０、側面洗浄装置（洗車機本体）１は被洗浄車両ＣＡを跨ぐように門型に形成される。上面洗浄装置１６０はトップブラシ１６１を有し、側面洗浄装置１はサイドブラシ５を有している。それぞれのブラシは洗浄用の回転モータ（不図示）によって回転する。トップブラシ１６１は被洗浄車両ＣＡの上面に沿って相対移動して被洗浄車両ＣＡの上面を洗浄する。サイドブラシ５は詳細を後述するように被洗浄車両ＣＡの前後面及び両側面を洗浄する。
【００２３】
乾燥装置１００は被洗浄車両ＣＡを跨ぐように門型に形成され、気流を発生して被洗浄車両ＣＡを乾燥させるブロア１０１が設けられる。ブロア１０１にはトップ送風ノズル１０２及びサイド送風ノズル１０３が接続される。トップ送風ノズル１０２は中央上部に設けられ、被洗浄車両ＣＡの上面に向けて送風する。サイド送風ノズル１０３は両側部に設けられ、被洗浄車両ＣＡの側面に向けて送風する。これにより、トップ送風ノズル１０２及びサイド送風ノズル１０３の送風によって洗浄後の被洗浄車両ＣＡを乾燥させることができる。
【００２４】
図２、図３は側面洗浄装置１の正面図及び上面図を示している。側面洗浄装置１は左右の対向するスタンド部３と、スタンド部３の上端を連結する天井部４とを有して門型に形成される。側面洗浄装置１は浄水ノズル１１、１２、案内部３１、移動体３０及びサイドブラシ５を有している。
【００２５】
浄水ノズル１１は入口１５側、浄水ノズル１２は出口１６側に配され、分配配管部１５１（図１参照）に接続されている。これにより、浄水ノズル１１、１２から被洗浄車両ＣＡに対して市水を噴射する。
【００２６】
案内部３１は左右一対に設けられ、前後方向に延びて形成されている。案内部３１上には移動体３０が設けられる。移動体３０は回転モータ（不図示）を有し、回転モータの駆動により案内部３１の案内によって前後方向に移動することができる。
【００２７】
移動体３０にはレール３２が左右方向に延びて形成される。レール３２には左右一対のサイドブラシ５が吊り下げられている。それぞれのサイドブラシ５の上部には移動用の回転モータ（不図示）が設けられ、回転モータの駆動によりそれぞれのサイドブラシ５はレール３２の案内により左右方向に移動することができる。これにより、サイドブラシ５は被洗浄車両ＣＡの前後面及び両側面を洗浄することができる。
【００２８】
上記構成の洗車機ＷＡにおいて、被洗浄車両ＣＡはリモートパネル１７０の面前の所定の停車位置で停止し、ユーザは被洗浄車両ＣＡから所望の洗車条件の設定を行う。そして、被洗浄車両ＣＡは浄水装置１５０の入口側から搬送装置４０上に乗り上げる。
【００２９】
搬送装置４０上に被洗浄車両ＣＡ（図４参照）が乗り上げたことを検知すると、被洗浄車両ＣＡは搬送装置４０によって搬送方向Ｄ（図１参照）に一定の速度で搬送される。また、後続の被洗浄車両ＣＢ（図５参照）は被洗浄車両ＣＡに連続して搬送装置４０により搬送される。被洗浄車両ＣＡが浄水装置１５０に進入すると、浄水装置１５０は洗車設定に応じて被洗浄車両ＣＡに対してそれぞれのノズルから市水、洗剤及びワックスを噴射する。
【００３０】
被洗浄車両ＣＡが上面洗浄装置１６０内に搬送されると、トップブラシ１６１による洗浄が開始される。そして、トップブラシ１６１が被洗浄車両ＣＡの上面に沿って相対移動し、被洗浄車両ＣＡの上面を洗浄する。
【００３１】
図４〜図８はサイドブラシ５による被洗浄車両ＣＡの洗車の状態を示す上面図である。搬送装置４０によって被洗浄車両ＣＡは一定の速度で側面洗浄装置１の入口１５から出口１６に向って前方に搬送される。
【００３２】
図４に示すように、被洗浄車両ＣＡが側面洗浄装置１の前後方向の略中央部まで搬送されるとき、移動体３０は案内部３１の略中央部に配されている。この時、サイドブラシ５は互いに接近した状態に配され、この状態から被洗浄車両ＣＡの前面の洗浄を開始する。この時のサイドブラシ５の前後方向の位置（案内部３１の略中央部）を洗浄開始位置という。
【００３３】
次に図５に示すように、移動体３０は搬送方向Ｄに被洗浄車両ＣＡと同じ速度で移動する。この時、サイドブラシ５は左右方向に互いに離れる方向に移動することで、被洗浄車両ＣＡの前面全体を洗浄する。
【００３４】
次に図６に示すように、移動体３０が案内部３１の出口１６側の端部まで移動すると、サイドブラシ５は被洗浄車両ＣＡの側面の洗浄可能な位置まで左右方向にそれぞれ離れて配されている。そして、移動体３０が搬送方向Ｄと反対の方向に移動してサイドブラシ５は被洗浄車両ＣＡの側面の洗浄を開始する。そして、図７に示すように移動体３０が案内部３１の入口１５側の端部まで移動し、サイドブラシ５により被洗浄車両ＣＡの側面全体を洗浄することができる。
【００３５】
次に図８に示すように、移動体３０は再度搬送方向Ｄに被洗浄車両ＣＡと同じ速度で移動する。この時、サイドブラシ５は互いに接近する方向に移動しながら被洗浄車両ＣＡの後面を洗浄する。そして、サイドブラシ５が洗浄開始位置に戻ると、被洗浄車両ＣＡの後面の洗浄が終了する。
【００３６】
その後、被洗浄車両ＣＡは乾燥装置１００に搬送され、トップ送風ノズル１０２及びサイド送風ノズル１０３から空気が送出されて、被洗浄車両ＣＡの乾燥が行われる。
【００３７】
被洗浄車両ＣＡに続いて搬送装置４０により搬送される被洗浄車両ＣＢは同様にトップブラシ１６１、サイドブラシ５により洗浄され、乾燥装置１００により乾燥が行われる。この時、被洗浄車両ＣＡの後面の洗浄が完了した際にサイドブラシ５が洗浄開始位置に配置されるため、被洗浄車両ＣＡと被洗浄車両ＣＢとの間隔を短くして直ぐにサイドブラシ５による洗浄を開始することができる。
【００３８】
尚、被洗浄車両ＣＡの前面を洗浄する際に、移動体３０及び搬送装置４０を停止した状態でサイドブラシ５を左右方向に離れるように移動してもよい。また、被洗浄車両ＣＡの側面を洗浄する際に、搬送装置４０を停止した状態でサイドブラシ５を入口１５に向かって移動させてもよい。しかし、搬送装置４０を駆動しながら被洗浄車両ＣＡの前面や側面を洗浄すると、被洗浄車両ＣＡの洗車時間をより短縮することができる。
【００３９】
本実施形態によると、サイドブラシ５による被洗浄車両ＣＡの洗浄開始時にサイドブラシ５が前後方向の所定の洗浄開始位置に配置され、被洗浄車両ＣＡの洗浄開始とともにサイドブラシ５が左右方向に移動しながら被洗浄車両の前面を洗浄し、続いてサイドブラシ５が被洗浄車両ＣＡの側面を洗浄しながら、洗浄開始位置よりも入口１５側に位置するまで移動し、続いて被洗浄車両ＣＡを前方に搬送するとともにサイドブラシ５が出口に向かって移動しながら被洗浄車両ＣＡの後面を洗浄し、被洗浄車両ＣＡの後面の洗浄が終了した時にサイドブラシ５が洗浄開始位置に配置される。これにより、連続して被洗浄車両ＣＡ、ＣＢを洗車する際、洗車の待ち時間を短縮することができる。
【００４０】
また、被洗浄車両ＣＡの前面を洗浄する際に、被洗浄車両ＣＡを前方に搬送しながらサイドブラシ５を出口１６に向って移動させるため、被洗浄車両ＣＡの洗車時間をより短縮することができる。
【００４１】
また、被洗浄車両ＣＡの側面を洗浄する際に、被洗浄車両ＣＡを前方に搬送させるため、被洗浄車両ＣＡの洗車時間をより一層短縮することができる。
【００４２】
（第２実施形態）
図９は第２実施形態の洗車機ＷＡの洗車機本体１を示す側面図である。説明の便宜上、前述の図１〜８を示す第１実施形態と同様の部分には同一の符号を付している。本実施形態では側面洗浄装置１に第１実施形態の浄水装置１５０、上面洗浄装置１６０及び乾燥装置１０１が一体となって構成されている点が異なり、その他の部分は第１実施形態と同様である。これにより、洗車機ＷＡを小型化することができる。
【００４３】
上記構成の洗車機ＷＡにおいて、被洗浄車両ＣＡはリモートパネル１７０の面前の所定の停車位置で停止し、ユーザは被洗浄車両ＣＡから所望の洗車条件の設定を行う。そして、被洗浄車両ＣＡは側面洗浄装置１の入口１５側から搬送装置４０上に乗り上げる。
【００４４】
その後、各ノズルから市水や洗浄液が噴射され、トップブラシ１６１による被洗浄車両ＣＡの上面の洗浄が開始される。そして、移動体３０が前後方向に移動しながら、サイドブラシ５による被洗浄車両ＣＡの前面、側面、後面の洗浄が行われる。その後、トップ送風ノズル１０２、サイド送風ノズル１０３から空気が送出され被洗浄車両ＣＡの乾燥が行われる。
【００４５】
本実施形態によると、側面洗浄装置１に第１実施形態の浄水装置１５０、上面洗浄装置１６０及び乾燥装置１０１が一体となって構成されているため、洗車機ＷＡを小型化することができる。
【産業上の利用可能性】
【００４６】
本発明によると、給油所等に設置して被洗浄車両の洗車を行う洗車機に利用することができる。
【符号の説明】
【００４７】
１      側面洗浄装置（洗車機本体）
２      レール
３      スタンド部
４      天井部
５      サイドブラシ
１１    浄水ノズル
１２    浄水ノズル
１５    入口
１６    出口
３０    移動体
３１    案内部
３２    レール
４０    搬送装置
１００  乾燥装置
１０１  ブロア
１０２  トップ送風ノズル
１０３  サイド送風ノズル
１５０  浄水装置
１５１  分配配管部
１５２  浄水ノズル
１５３  洗剤ノズル
１５４  ワックスノズル
１５５  検知センサ
１５６  検知センサ
１５７  タンク収納部
１６０  上面洗浄装置
１６１  トップブラシ
ＷＡ    洗車機
ＣＡ    被洗浄車両
Ｄ      搬送方向
【図１】
2014237336.tif 000003
【図２】
2014237336.tif 000004
【図３】
2014237336.tif 000005
【図４】
2014237336.tif 000006
【図５】
2014237336.tif 000007
【図６】
2014237336.tif 000008
【図７】
2014237336.tif 000009
【図８】
2014237336.tif 000010
【図９】
2014237336.tif 000011